【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
多官能性エチレン性不飽和シロキサンポリマー、１官能性エチレン性不飽和シロキサンマクロマーおよびビニルモノマーを含む、接着剤組成物。
【請求項２】
前記多官能性エチレン性不飽和シロキサンポリマーが、次式によって表わされる、請求項１に記載の接着剤組成物。
【化１】
2009507959.tif 000001
（式中、
Ｘは、独立して、ビニル官能基を有する一価基であり、
Ｙは、独立して、二価結合基であり、
Ｄは、独立して、水素、１〜１０個の炭素原子を有するアルキル基、アリール基および置換アリール基から成る群から選択され、
Ｒは、二価炭化水素基であり、
Ｒ１は、独立して、アルキル基、置換アルキル基、アリール基、および置換アリール基から成る群から選択され、
Ｒ２は、独立して、アルキル基、置換アルキル基、アリール基、および置換アリール基から成る群から選択され、
Ｒ３は、独立して、アルキル基、置換アルキル基、アリール基、置換アリール基、およびビニル基から成る群から選択され、
Ｒ４は、独立して、アルキル基、置換アルキル基、アリール基、置換アリール基、およびビニル基から成る群から選択され、
ｍは、０または１であり、並びに
ｎは、１５〜１０００の整数である。）
【請求項３】
前記多官能性エチレン性不飽和シロキサンポリマーが、４５重量％以下の量で存在する、請求項１に記載の接着剤組成物。
【請求項４】
前記１官能性エチレン性不飽和シロキサンマクロマーが次式を有する、請求項１に記載の接着剤組成物。
【化２】
2009507959.tif 000002
（式中、
ｑは、０または１であり、
ｓは、１、２または３であり、
ｒは、１５〜１０００の整数であり、
Ｒ７は、アルキル基、置換アルキル基、アルコキシ基、アルキルアミノ基、ヒドロキシル基、アリール基および置換アリール基から成る群から選択される一価基であり、
Ｘは独立して、
【化３】
2009507959.tif 000003
または
【化４】
2009507959.tif 000004
であり、
Ｙは独立して、
【化５】
2009507959.tif 000005
または
【化６】
2009507959.tif 000006
であり、
Ｄは、独立して、水素、１〜１０個の炭素原子を有するアルキル基、アリール基および置換アリール基から成る群から選択され、
Ｒは、二価炭化水素基であり、
Ｒ２は、独立して、アルキル基、置換アルキル基、アリール基および置換アリール基から成る群から選択され、
Ｒ３は、独立して、アルキル基、置換アルキル基、アリール基、置換アリール基およびビニル基から成る群から選択され、
Ｒ４は、独立して、アルキル基、置換アルキル基、アリール基、置換アリール基およびビニル基から成る群から選択され、並びに
ｍは０または１であり、
ただし、ｑが０の場合、Ｙは、ＸとＹが（メタ）アクリレートを形成するような
【化７】
2009507959.tif 000007
である。）
【請求項５】
前記１官能性不飽和シロキサンマクロマーが、４５重量％以下の量で存在する、請求項１に記載の接着剤組成物。
【請求項６】
その上に接着層を有する第一基材を備えた接着物品であって、
該接着層が、多官能性エチレン性不飽和シロキサンポリマー、１官能性エチレン性不飽和シロキサンマクロマー、及びビニルモノマーの、硬化した接着剤組成物を含み、並びに
該第一基材が、高分子フィルム、紙、金属フィルム、ガラス、セラミック、またはこれらの組み合わせを含む、接着物品。
【請求項７】
前記第一基材が、偏光フィルム、プリズムフィルム、光導体、拡散フィルム、輝度強化フィルム、液晶ディスプレイ、グレア制御フィルム、透明表面保護フィルム、プライバシー保護フィルム（privacy film）、またはこれらの組み合わせを備える、請求項６に記載の接着物品。
【請求項８】
第一基材の反対側で接着層に隣接した剥離ライナをさらに備える、請求項６に記載の接着物品。
【請求項９】
高分子フィルム、紙、金属フィルム、ガラス、セラミック、またはこれらの組み合わせを含む第一基材、
第一基材に隣接し、多官能性エチレン性不飽和シロキサンポリマー、１官能性エチレン性不飽和シロキサンマクロマー、およびビニルモノマーの、硬化した接着剤組成物を含む接着層、並びに
第一基材の反対側で接着層に隣接し、高分子フィルム、紙、金属フィルム、ガラス、セラミック、またはこれらの組み合わせを含む第二基材、を含む積層物品。
【請求項１０】
第一および／または第二基材が、偏光フィルム、プリズムフィルム、光導体、拡散フィルム、輝度強化フィルム、液晶ディスプレイ、グレア制御フィルム、透明表面保護フィルム、プライバシー保護フィルム（privacy film）、またはこれらの組み合わせを含む、請求項９に記載の積層物品。
【請求項１１】
請求項１０に記載の積層物品を備える光学デバイス。
【手続補正２】
【補正対象書類名】明細書
【補正対象項目名】００８３
【補正方法】変更
【補正の内容】
【００８３】
本発明の様々な修正および変更が、本発明の範囲および精神から逸脱せずに実施できることは、当業者には明らかであろう。
以下に、本願発明に関連する発明の実施の形態を列挙する。
実施形態１
多官能性エチレン性不飽和シロキサンポリマー、１官能性エチレン性不飽和シロキサンマクロマーおよびビニルモノマーを含む、接着剤組成物。
実施形態２
前記多官能性エチレン性不飽和シロキサンポリマーが、次式によって表わされる、実施形態１に記載の接着剤組成物。
【化８】
2009507959.tif 000008
（式中、
Ｘは、独立して、ビニル官能基を有する一価基であり、
Ｙは、独立して、二価結合基であり、
Ｄは、独立して、水素、約１〜約１０個の炭素原子を有するアルキル基、アリール基および置換アリール基から成る群から選択され、
Ｒは、二価炭化水素基であり、
Ｒ１は、独立して、アルキル基、置換アルキル基、アリール基、および置換アリール基から成る群から選択され、
Ｒ２は、独立して、アルキル基、置換アルキル基、アリール基、および置換アリール基から成る群から選択され、
Ｒ３は、独立して、アルキル基、置換アルキル基、アリール基、置換アリール基、およびビニル基から成る群から選択され、
Ｒ４は、独立して、アルキル基、置換アルキル基、アリール基、置換アリール基、およびビニル基から成る群から選択され、
ｍは、０または１であり、並びに
ｎは、約１５〜約１０００の整数である。）
実施形態３
実施形態２に記載の接着剤組成物であって、式中
Ｘが、
【化９】
2009507959.tif 000009
であり、
Ｙが、
【化１０】
2009507959.tif 000010
であり、
Ｄが水素であり、
Ｒが
【化１１】
2009507959.tif 000011
であり、
Ｒ１、Ｒ２、Ｒ３、及びＲ４が−ＣＨ３であり、
ｍが１であり、並びに
ｎが約１５〜約１０００の整数であり、並びに
ＸとＹがメタクリレートを形成する、接着剤組成物。
実施形態４
実施形態２に記載の接着剤組成物であって、式中
Ｘが、
【化１２】
2009507959.tif 000012
であり、
Ｙが、
【化１３】
2009507959.tif 000013
であり、
Ｄが水素であり、
Ｒが
【化１４】
2009507959.tif 000014
であり、
Ｒ１、Ｒ２、Ｒ３、及びＲ４が、−ＣＨ３であり、
ｍが１であり、並びに
ｎが、約１５〜約１０００の整数であり、並びに
ＸとＹがアクリルアミドを形成する、接着剤組成物。
実施形態５
実施形態２に記載の接着剤組成物であって、式中
Ｘが、
【化１５】
2009507959.tif 000015
であり、
Ｄが水素であり、
Ｒが、
【化１６】
2009507959.tif 000016
であり、
Ｒ１、Ｒ２、Ｒ３、およびＲ４が、−ＣＨ３であり、
ｍが０であり、並びに
ｎが約１５〜約１０００の整数である、接着剤組成物。
実施形態６
実施形態２に記載の接着剤組成物であって、式中
Ｘが、独立して
【化１７】
2009507959.tif 000017
または
【化１８】
2009507959.tif 000018
であり、
Ｙが、独立して
【化１９】
2009507959.tif 000019
または
【化２０】
2009507959.tif 000020
であり、
Ｄが水素であり、
Ｒが
【化２１】
2009507959.tif 000021
であり、
Ｒ１、Ｒ２、Ｒ３、及びＲ４が−ＣＨ３であり、
ｍが０または１であり、
ｎが、約１５〜約１０００の整数であり、並びに
ＸとＹが（メタ）アクリレート又は（メタ）アクリルアミドのどちらか一方を形成する、接着剤組成物。
実施形態７
前記多官能性エチレン性不飽和シロキサンポリマーが、約４５重量％以下の量で存在する、実施形態１に記載の接着剤組成物。
実施形態８
前記多官能性エチレン性不飽和シロキサンポリマーが、２〜約３５重量％の量で存在する、実施形態７に記載の接着剤組成物。
実施形態９
前記多官能性エチレン性不飽和シロキサンポリマーが、４〜約２０重量％の量で存在する、実施形態８に記載の接着剤組成物。
実施形態１０
前記１官能性エチレン性不飽和シロキサンマクロマーが次式を有する、実施形態１に記載の接着剤組成物。
【化２２】
2009507959.tif 000022
（式中、
ｑは、０または１であり、
ｓは、１、２または３であり、
ｒは、約１５〜約１０００の整数であり、
Ｒ７は、アルキル基、置換アルキル基、アルコキシ基、アルキルアミノ基、ヒドロキシル基、アリール基および置換アリール基から成る群から選択される一価基であり、
Ｘは独立して、
【化２３】
2009507959.tif 000023
または
【化２４】
2009507959.tif 000024
であり、
Ｙは独立して、
【化２５】
2009507959.tif 000025
または
【化２６】
2009507959.tif 000026
であり、
Ｄは、独立して、水素、約１〜約１０個の炭素原子を有するアルキル基、アリール基および置換アリール基から成る群から選択され、
Ｒは、二価炭化水素基であり、
Ｒ２は、独立して、アルキル基、置換アルキル基、アリール基および置換アリール基から成る群から選択され、
Ｒ３は、独立して、アルキル基、置換アルキル基、アリール基、置換アリール基およびビニル基から成る群から選択され、
Ｒ４は、独立して、アルキル基、置換アルキル基、アリール基、置換アリール基およびビニル基から成る群から選択され、並びに
ｍは０または１であり、
ただし、ｑが０の場合、Ｙは、ＸとＹが（メタ）アクリレートを形成するような
【化２７】
2009507959.tif 000027
である。）
実施形態１１
ｒが約１２０〜約１５０である、実施形態１０に記載の接着剤組成物。
実施形態１２
ｒが約１３０〜約１３５である、実施形態１０に記載の接着剤組成物。
実施形態１３
前記１官能性不飽和シロキサンマクロマーが、約４５重量％以下の量で存在する、実施形態１に記載の接着剤組成物。
実施形態１４
前記１官能性エチレン性不飽和シロキサンマクロマーが、２重量％〜約３５重量％の量で存在する、実施形態１３に記載の接着剤組成物。
実施形態１５
前記１官能性エチレン性不飽和シロキサンマクロマーが、４重量％〜約２０重量％の量で存在する、実施形態１４に記載の接着剤組成物。
実施形態１６
前記ビニルモノマーが、単一モノマーまたは１を超えるモノマーの混合物を含む、実施形態１に記載の接着剤組成物。
実施形態１７
前記ビニルモノマーがソフトモノマーとハードモノマーの混合物を含む接着剤組成物であって、
該ソフトモノマーが、ホモ重合した場合、約０℃未満のＴｇを有するモノマーであり、かつ
該ハードモノマーが、ホモ重合した場合、約０℃を超えるＴｇを有するモノマーである、実施形態１６に記載の接着剤組成物。
実施形態１８
前記ソフトモノマーが、約５〜約２１個の炭素原子を含むアクリル酸のエステル、約８〜約２２個の炭素原子を含むメタクリル酸のエステル、又はこれらの組み合わせである、実施形態１７に記載の接着剤組成物。
実施形態１９
前記ソフトモノマーが、アクリル酸イソオクチル、２−エチルヘキシルアクリレート、ブチルアクリレート、２−メチルブチルアクリレート、４−メチル−２−ペンチルアクリレート、ｓ−ブチルアクリレート、アクリル酸イソノニル、アクリル酸イソデシル又はこれらの混合物である、実施形態１８に記載の接着剤組成物。
実施形態２０
前記ハードモノマーが、（メタ）アクリル酸、分岐（メタ）アクリレート、約５〜約７個の炭素原子を有する（メタ）アクリレート、カルボン酸のビニルエステル、スチレン誘導体、（メタ）アクリルアミド誘導体、アクリロニトリル誘導体、またはこれらの組み合わせである、実施形態１７に記載の接着剤組成物。
実施形態２１
前記ハードモノマーが、シクロヘキシル（メタ）アクリレート、イソボルニル（メタ）アクリレート、ｔ−ブチル（メタ）アクリレート、酢酸ビニル、イソプロペニルアセテート、スチレン、ビニルトルエン、ヒドロキシエチル（メタ）アクリレート、ヒドロキシプロピル（メタ）アクリレート、Ｎ，Ｎ−ジメチルアクリルアミド、（メタ）アクリロニトリル、Ｎ−ビニルピロリドン、Ｎ−ビニルカプロラクタム、塩化ビニリデン、またはこれらの組み合わせである、実施形態２０に記載の接着剤組成物。
実施形態２２
前記ビニルモノマーが、イソオクチル（メタ）アクリレート、イソボルニル（メタ）アクリレート、またはこれらの組み合わせを含む、実施形態１に記載の接着剤組成物。
実施形態２３
約２〜約１０重量％の多官能性エチレン性不飽和シロキサンポリマー、約２〜約１０重量％の１官能性エチレン性不飽和シロキサンマクロマー、および約８５〜約９６重量％のビニルモノマーを含む、実施形態１に記載の接着剤組成物。
実施形態２４
その上に接着層を有する第一基材を備えた接着物品であって、
該接着層が、多官能性エチレン性不飽和シロキサンポリマー、１官能性エチレン性不飽和シロキサンマクロマー、及びビニルモノマーの、硬化した接着剤組成物を含み、並びに
該第一基材が、高分子フィルム、紙、金属フィルム、ガラス、セラミック、またはこれらの組み合わせを含む、接着物品。
実施形態２５
前記第一基材が、偏光フィルム、プリズムフィルム、光導体、拡散フィルム、輝度強化フィルム、液晶ディスプレイ、グレア制御フィルム、透明表面保護フィルム、プライバシー保護フィルム（privacy film）、またはこれらの組み合わせを備える、実施形態２４に記載の接着物品。
実施形態２６
第一基材の反対側で接着層に隣接した剥離ライナをさらに備える、実施形態２４に記載の接着物品。
実施形態２７
高分子フィルム、紙、金属フィルム、ガラス、セラミック、またはこれらの組み合わせを含む第一基材、
第一基材に隣接し、多官能性エチレン性不飽和シロキサンポリマー、１官能性エチレン性不飽和シロキサンマクロマー、およびビニルモノマーの、硬化した接着剤組成物を含む接着層、並びに
第一基材の反対側で接着層に隣接し、高分子フィルム、紙、金属フィルム、ガラス、セラミック、またはこれらの組み合わせを含む第二基材、を含む積層物品。
実施形態２８
第一および／または第二基材が、偏光フィルム、プリズムフィルム、光導体、拡散フィルム、輝度強化フィルム、液晶ディスプレイ、グレア制御フィルム、透明表面保護フィルム、プライバシー保護フィルム（privacy film）、またはこれらの組み合わせを含む、実施形態２７に記載の積層物品。
実施形態２９
実施形態２８に記載の積層物品を備える光学デバイス。